(57)【要約】  光機能層（１６０）は基板（１００）の第２面（１００ｂ）の一部の上に形成されている。第１電極（１１０）は光機能層（１６０）の上に形成されており、第２電極（１３０）は第１電極（１１０）の上に形成されている。有機層（１２０）は第１電極（１１０）と第２電極（１３０）の間に位置しており、発光層を含んでいる。第２電極（１３０）は複数形成されている。複数の第２電極（１３０）の間の領域の少なくとも一部は、光透過性を有している。そして、第２電極（１３０）の縁の少なくとも一部は光機能層（１６０）の外側に位置している。
2017149733.tif 000002
【特許請求の範囲】
【請求項１】
基板と、
前記基板の一部の上に位置している光機能層と、
前記光機能層の上に位置している光透過性の第１電極と、
前記第１電極の上に位置している光反射性の第２電極と、
前記第１電極と前記第２電極の間に位置している発光層と、
を備え、
前記第２電極は前記基板の上に複数形成され、
前記複数の第２電極の間の領域の少なくとも一部は光透過性を有しており、
前記第２電極の縁の少なくとも一部は前記光機能層の外側に位置している発光装置。
【請求項２】
請求項１に記載の発光装置において、
前記第２電極の縁の前記少なくとも一部において、前記第２電極の縁と前記光機能層の縁の距離は１μｍ以上である発光装置。
【請求項３】
請求項１又は２に記載の発光装置において、
前記光機能層は、前記複数の第２電極それぞれと重なる位置にあり、
前記複数の光機能層及び前記複数の第２電極はストライプ状に延在している発光装置。
【請求項４】
請求項３に記載の発光装置において、
前記基板は水平方向に対して傾きθ１（ただし０°＜θ１＜９０°）を有し、
前記第２電極の幅をａ、前記光機能層の幅をｂ、前記基板のうち前記光機能層が形成されている面を基準としたときの前記第２電極の高さをｔとしたとき、
ａ≧ｂ＋２ｔ×ｔａｎθ１
を満たす発光装置。
【請求項５】
請求項１〜４のいずれか一項に記載の発光装置において、
前記第１電極の縁を覆う絶縁層を備え、
前記基板は、
前記第２電極に重なる第１領域と、
前記第２電極と重ならずに前記絶縁層と重なる第２領域と、
前記第２電極及び前記絶縁層と重ならない領域である第３領域と、
を備え、
前記第２領域の幅は前記第３領域の幅よりも狭い発光装置。
【発明の詳細な説明】
【技術分野】
【０００１】
本発明は、発光装置に関する。
【背景技術】
【０００２】
近年は有機ＥＬを利用した発光装置の開発が進んでいる。この発光装置は、照明装置や表示装置として使用されており、第１電極と第２電極の間に有機層を挟んだ構成を有している。そして、一般的には第１電極には透明材料が用いられており、第２電極には金属材料が用いられている。【０００３】
有機ＥＬを利用した発光装置の一つに、特許文献１に記載の技術がある。特許文献１の技術は、有機ＥＬ素子に光透過性（シースルー）を持たせるために、第２電極を基板の一部にのみ設けている。このような構造において、複数の第２電極の間に位置する領域は光を透過させるため、有機ＥＬ素子は光透過性を有することができる。【０００４】
また、特許文献１において、基板と第１電極の間に光散乱層を形成することが記載されている。この光散乱層は、上記した光が透過する領域には形成されていない。
【先行技術文献】
【特許文献】
【０００５】
【特許文献１】特開２０１３−１４９３７６号公報
【発明の概要】
【発明が解決しようとする課題】
【０００６】
基板と第１電極の間に光散乱層を設けると、有機ＥＬ素子などの発光部からの光取り出し効率は向上する。一方、光透過性を有する発光装置において、発光部が発光した光を一方の面からのみ出射させたい場合がある。このような場合において、上記した光散乱層を設けると、発光部が発光した光の一部が発光装置のうち光を出射させたくない面や、光の射出を制限したい面から出射する可能性が出てくる。【０００７】
本発明が解決しようとする課題としては、光透過性を有する発光装置において、光の取り出し効率を向上させつつ、発光部が発光した光の一部が光を出射させたくない面から出射しないようにすることが一例として挙げられる。
【課題を解決するための手段】
【０００８】
請求項１に記載の発明は、基板と、
前記基板の一部の上に位置している光機能層と、
前記光機能層の上に位置している光透過性の第１電極と、
前記第１電極の上に位置している光反射性の第２電極と、
前記第１電極と前記第２電極の間に位置している発光層と、
を備え、
前記第２電極は前記基板の上に複数形成され、
前記複数の第２電極の間の領域の少なくとも一部は光透過性を有しており、
前記第２電極の縁の少なくとも一部は前記光機能層の外側に位置している発光装置である。
【図面の簡単な説明】
【０００９】
上述した目的、およびその他の目的、特徴および利点は、以下に述べる好適な実施の形態、およびそれに付随する以下の図面によってさらに明らかになる。【００１０】
【図１】実施形態に係る発光装置の構成を示す平面図である。
【図２】図１のＡ−Ａ断面図である。
【図３】変形例１に係る発光装置の構成を示す断面図である。
【図４】変形例２に係る発光装置の構成を示す断面図である。
【図５】変形例３に係る発光装置の構成を示す断面図である。
【図６】変形例４に係る発光装置の構成を示す断面図である。
【図７】変形例５に係る発光装置の構成を示す断面図である。
【図８】変形例６に係る発光装置の構成を示す断面図である。
【図９】変形例７に係る発光装置の構成を示す断面図である。
【図１０】実施例１に係る発光システムの構成を示す断面図である。
【図１１】図１０の一部を拡大した図である。
【図１２】図１１の変形例を示す図である。
【図１３】実施例２に係る発光システムの構成を示す断面図である。
【図１４】実施例３に係る発光システムの構成を示す断面図である。
【図１５】図１４の変形例を示す断面図である。
【図１６】実施例４に係る発光システムの構成を示す断面図である。
【図１７】実施例５に係る発光システムの構成を示す断面図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
（実施形態）
図１は、実施形態に係る発光装置１０の構成を示す平面図である。図２は、図１のＡ−Ａ断面図である。実施形態に係る発光装置１０は、基板１００、光機能層１６０、第１電極１１０、有機層１２０、及び第２電極１３０を有している。光機能層１６０は基板１００の第２面１００ｂの一部の上に形成されている。第１電極１１０は光機能層１６０の上に形成されており、第２電極１３０は第１電極１１０の上に形成されている。有機層１２０は第１電極１１０と第２電極１３０の間に位置しており、発光層を含んでいる。第２電極１３０は複数形成されている。複数の第２電極１３０の間の領域（以下、第２領域１０４及び第３領域１０６と記載）の少なくとも一部は、光透過性を有している。そして、第２電極１３０の縁の少なくとも一部は光機能層１６０の外側に位置している。以下、発光装置１０について詳細に説明する。
【００１３】
基板１００は、例えばガラス基板や樹脂基板などの透光性を有する基板である。基板１００は可撓性を有していてもよい。可撓性を有している場合、基板１００の厚さは、例えば１０μｍ以上１０００μｍ以下である。基板１００は、例えば矩形などの多角形や円形である。基板１００が樹脂基板である場合、基板１００は、例えばＰＥＮ（ポリエチレンナフタレート）、ＰＥＳ（ポリエーテルサルホン）、ＰＥＴ（ポリエチレンテレフタラート）、又はポリイミドを用いて形成されている。また、基板１００が樹脂基板である場合、水分が基板１００を透過することを抑制するために、基板１００の少なくとも一面（好ましくは両面）に、ＳｉＮｘやＳｉＯＮなどの無機バリア膜が形成されているのが好ましい。なお、基板１００を樹脂基板で形成する場合は、樹脂基板に直接後述する第１電極１１０や有機層１２０を成膜する方法と、ガラス基板の上に第１電極１１０以降の層を形成した後に、第１電極１１０とガラス基板を剥離し、さらに、剥離した積層体を樹脂基板に配置する方法などがある。
【００１４】
基板１００の第２面１００ｂには、発光部１４０が形成されている。発光部１４０は、第１電極１１０、発光層を含む有機層１２０、及び第２電極１３０をこの順に積層させた構成を有している。そして基板１００の第１面１００ａは、光が出射する面となっている。
【００１５】
第１電極１１０は、光透過性を有する透明電極である。透明電極の材料は、金属を含む材料、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ）等の金属酸化物である。第１電極１１０の厚さは、例えば１０ｎｍ以上５００ｎｍ以下である。第１電極１１０は、例えばスパッタリング法又は蒸着法を用いて形成される。なお、第１電極１１０は、カーボンナノチューブ、又はＰＥＤＯＴ／ＰＳＳなどの導電性有機材料であってもよい。また、第１電極１１０は複数の膜を積層した積層構造を有していてもよい。本図において、基板１００の上には、複数の長方形状（ストライプ状）の第１電極１１０が互いに平行に形成されている。このため、第３領域１０６、及び後述する第２領域１０４には第１電極１１０は位置していない。
【００１６】
有機層１２０は、例えば、正孔注入層、発光層、及び電子注入層をこの順に積層させた構成を有している。正孔注入層と発光層との間には正孔輸送層が形成されていてもよい。また、発光層と電子注入層との間には電子輸送層が形成されていてもよい。有機層１２０は蒸着法で形成されてもよい。また、有機層１２０のうち少なくとも一つの層、例えば第１電極１１０と接触する層は、インクジェット法、印刷法、又はスプレー法などの塗布法によって形成されてもよい。なお、この場合、有機層１２０の残りの層は、蒸着法によって形成されている。また、有機層１２０のすべての層が、塗布法を用いて形成されていてもよい。なお、有機層１２０の代わりに他の発光層（例えば無機発光層）を有していてもよい。また、発光層の発光する発光色（又は有機層１２０から放射される光の色）は、隣の発光部１４０の発光層の発光色（又は有機層１２０から放射される光の色）と異なっていてもよいし、同じでも良い。
【００１７】
第２電極１３０は、遮光性あるいは光反射性を有しており、例えば、Ａｌ、Ａｕ、Ａｇ、Ｐｔ、Ｍｇ、Ｓｎ、Ｚｎ、及びＩｎからなる第１群の中から選択される金属、又はこの第１群から選択される金属の合金からなる金属層を含んでいる。第２電極１３０の厚さは、例えば１０ｎｍ以上５００ｎｍ以下である。ただし、第２電極１３０は、第１電極１１０の材料として例示した材料を用いて形成されていてもよい。第２電極１３０は、例えばスパッタリング法又は蒸着法を用いて形成される。本図に示す例において、発光装置１０は複数の線状の第２電極１３０を有している。第２電極１３０は、第１電極１１０のそれぞれに対して設けられており、かつ第１電極１１０よりも幅が広くなっている。このため、基板１００に垂直な方向から見た場合において、幅方向において第１電極１１０の全体が第２電極１３０によって重なっており、また覆われている。このような構成にすることで、有機層１２０の発光層で発光した光の取出し方向を調整することができる。具体的には、発光装置１０の第１面１００ａとは逆側（後述する第２面１００ｂ）方向への光の放射を抑えることができる。
【００１８】
第１電極１１０の縁は、絶縁層１５０によって覆われている。絶縁層１５０は例えばポリイミドなどの樹脂材料に感光性の材料を含んで形成されており、第１電極１１０のうち発光部１４０となる部分を囲んでいる。第２電極１３０の幅方向の縁は、絶縁層１５０上に位置している。言い換えると、基板１００に垂直な方向から見た場合において、絶縁層１５０の一部は第２電極１３０から食み出ている。また本図に示す例において、有機層１２０は絶縁層１５０の上及び側面にも形成されている。ただし、有機層１２０は隣り合う発光部１４０の間で電気的には分断されていることが好ましいが、隣り合う発光部１４０と連続して形成されていてもよい。
【００１９】
複数の発光部１４０は、互いに平行に延在している。図１に示す例では、複数の発光部１４０はいずれも長方形状（ストライプ状）に延在している。ただし、発光部１４０は途中で曲がっていてもよい。
【００２０】
そして、基板１００に垂直な方向から見た場合において、基板１００は、第１領域１０２、第２領域１０４、及び第３領域１０６を有している。第１領域１０２は第２電極１３０と重なっている領域である。第２電極１３０が遮光性を有している場合、第１領域１０２は、発光装置１０または基板１００の表面から裏面、及び裏面から表面のそれぞれにおいて光を通さない領域である。第２領域１０４は、絶縁層１５０に重なるとともに第２電極１３０と重ならない領域である。第３領域１０６は、絶縁層１５０及び第２電極１３０と重ならない領域である。そして、第２領域１０４の幅は第３領域１０６の幅よりも狭いため、発光装置１０は、十分な光透過性を有している。
【００２１】
本図に示す例において、有機層１２０は第２領域１０４及び第３領域１０６にも形成されている。言い換えると、複数の発光部１４０の有機層１２０は連続的に形成されている。ただし、有機層１２０は第３領域１０６に形成されていなくてもよい。また、有機層１２０は、第２領域１０４に形成されていなくてもよい。
【００２２】
第２領域１０４の幅は、第３領域１０６の幅よりも狭い。また第３領域１０６の幅は第１領域１０２の幅よりも広くてもよいし、狭くてもよい。第１領域１０２の幅を１とした場合、第２領域１０４の幅は例えば０以上（又は０超若しくは０．１以上）０．２以下であり、第３領域１０６の幅は例えば０．３以上２以下である。また第１領域１０２の幅は、例えば５０μｍ以上５００μｍ以下であり、第２領域１０４の幅は例えば０μｍ以上（又は０μｍ超）１００μｍ以下であり、第３領域１０６の幅は例えば１５μｍ以上１０００μｍ以下である。
【００２３】
そして、基板１００の第２面１００ｂの第１領域１０２には、光機能層１６０が形成されている。光機能層１６０は、例えば光を散乱させる層であり、例えば、有機材料又は無機材料からなるバインダーに複数の粒子を混ぜたものである。光機能層１６０は、第１電極１１０と基板１００の間に位置している。光機能層１６０の厚さは、例えば１００ｎｍ以上１００μｍ以下である。さらに詳細には、光機能層１６０は、複数の第２電極１３０のそれぞれと重なる位置に形成されている。そして、複数の光機能層１６０は、第２電極１３０と同様に、互いに平行にストライプ状に延在している。光機能層１６０は、発光部１４０が発光した光を散乱する。
【００２４】
光機能層１６０のバインダー（ベース材）は、例えばイミド系、アクリル系、エーテル系、シラン系、又はシロキサン系の有機材料であってもよいし、ガラスペースト、ガラスフリット、又はＳｉＯ２ゾルなどの無機材料であってもよい。光機能層１６０のバインダーの屈折率は、例えば１．２以上２．２以下、好ましくは１．６以上１．９以下である。
【００２５】
光機能層１６０の粒子は、例えば無機材料からなる。この粒子を構成する材料は、例えば酸化チタン、酸化ジルコニウム、又は酸化シリコンなどの酸化物である。粒子の粒径、例えば球相当径（直径）の平均値は、例えば１００ｎｍ以上５μｍ以下である。
【００２６】
なお、光機能層１６０は、回折格子、マイクロプリズム、マイクロレンズアレイ、又は半透過反射膜であってもよい。
【００２７】
光機能層１６０のうち少なくとも発光部１４０と重なる部分は、第２電極１３０で覆われているのが好ましい。このようにするためには、例えば、光機能層１６０の幅方向において、第２電極１３０の縁を光機能層１６０と重ならないようにする、言い換えると、第２電極１３０の縁は光機能層１６０の外側に位置すればよい。光機能層１６０の縁と第２電極１３０の縁の距離ｗは、例えば１μｍ以上であるのが好ましく、また、１００μｍ以下であるのが好ましい。
【００２８】
次に、発光装置１０の製造方法について説明する。まず、基板１００の第２面１００ｂの上に光機能層１６０を形成する。光機能層１６０は、例えばインクジェット法を用いて形成することができる。また、光機能層１６０は、マスクを用いた塗布法を用いて形成することもできる。この際、塗布材料には、粒子を含むバインダーが用いられる。次いで、第１電極１１０、有機層１２０、及び第２電極１３０をこの順に形成する。
【００２９】
本実施形態において、発光装置１０のうち第３領域１０６と重なる部分は、光透過性を有している。このため、発光装置１０は、第２面１００ｂから第１面１００ａに向かう方向及び第１面１００ａから第２面１００ｂに向かう方向のそれぞれで光透過性を有している。一方、発光部１４０の第２電極１３０は光反射性又は遮光性を有している。従って、有機層１２０からの光は第１面１００ａ側から発光装置１０の外部に出射するが、第１面１００ａの逆側には出射しない。
【００３０】
さらに本実施形態において、第１電極１１０と基板１００の間には光機能層１６０が形成されている。このため、有機層１２０の光が第１面１００ａから外部に放射されやすくなる。
【００３１】
一方、光機能層１６０を設けると、有機層１２０から光機能層１６０に向かってきた光の一部が第１面１００ａとは逆側に反射することがある。これに対して本実施形態では、第２電極１３０の縁は光機能層１６０と重なっておらず、光機能層１６０の外側に位置している。このため、光機能層１６０から第１面１００ａとは逆側に反射した光は、第２電極１３０で再び基板１００に向けて反射される。従って、光機能層１６０を設けても、発光部１４０からの光は第１面１００ａとは逆側に出射しにくい。
【００３２】
なお、上記した実施形態及び後述する各変形例において、発光部１４０はストライプ状である。ただし、発光部１４０は格子状であってもよい。この場合、第３領域１０６は、基板１００のうち第２電極１３０で囲まれた領域になる。
【００３３】
（変形例１）
図３は、変形例１に係る発光装置１０の構成を示す断面図であり、実施形態における図２に対応している。本実施形態に係る発光装置１０は、第１領域１０２、第２領域１０４、及び第３領域１０６のすべてに第１電極１１０が形成されている点を除いて、実施形態に係る発光装置１０と同様の構成である。言い換えると、複数の発光部１４０それぞれの第１電極１１０は、互いに繋がっている。
【００３４】
本変形例によっても、実施形態と同様に、光機能層１６０を設けることにより、有機層１２０の光が第１面１００ａから外部に放射されやすくなる。また、第２電極１３０の縁は光機能層１６０と重なっていないため、光機能層１６０を設けても、発光部１４０からの光は第１面１００ａとは逆側に出射しにくい。さらに、複数の発光部１４０それぞれの第１電極１１０は、互いに繋がっている。従って、第１電極１１０をパターニングする必要はなく、その結果、発光装置１０の製造コストは低くなる。
【００３５】
（変形例２）
図４は、変形例２に係る発光装置１０の構成を示す断面図であり、実施形態における図２に対応している。本変形例に係る発光装置１０は、隣り合う発光部１４０の間で有機層１２０が分断している点を除いて、実施形態に係る発光装置１０と同様の構成である。有機層１２０は、例えば第３領域１０６の一部または全部に形成されていない。有機層１２０は、第２領域１０４のうち第３領域１０６側の領域にも形成されていなくてもよい。ただし、有機層１２０は、第２領域１０４、及び第３領域１０６のうち第２領域１０４側の領域に形成されていてもよい。
【００３６】
本変形例によっても、実施形態と同様に、光機能層１６０を設けることにより、有機層１２０の光が第１面１００ａから外部に放射されやすくなる。また、第２電極１３０の縁は光機能層１６０の外側に位置するため、光機能層１６０を設けても、発光部１４０からの光は第１面１００ａとは逆側に出射しにくい。
【００３７】
なお、変形例１において、有機層１２０が本変形例と同様の構造を有していてもよい。
【００３８】
（変形例３）
図５は、変形例３に係る発光装置１０の構成を示す断面図であり、実施形態における図２に対応している。本変形例に係る発光装置１０は、第１電極１１０が導電層１８０を有している点を除いて、実施形態に係る発光装置１０と同様の構成である。導電層１８０は第１電極１１０の補助電極であり、例えばＭｏ合金層、Ａｌ合金層、及びＭｏ合金層をこの順に積層した構成を有している。導電層１８０は、第１電極１１０のうち絶縁層１５０に覆われた部分の上に形成されている。ただし、導電層１８０は第１電極１１０と基板１００の間（又は第１電極１１０と光機能層１６０の間）に形成されていてもよい。
【００３９】
本変形例によっても、実施形態と同様に、光機能層１６０を設けることにより、有機層１２０の光が第１面１００ａから外部に放射されやすくなる。また、第２電極１３０の縁は光機能層１６０の外側に位置するため、光機能層１６０を設けても、発光部１４０からの光は第１面１００ａとは逆側に出射しにくい。また、導電層１８０を設けたため、第１電極１１０の見かけ上の抵抗を低くすることができる。
【００４０】
なお、変形例１又は変形例２において、発光装置１０は導電層１８０を有していてもよい。
【００４１】
（変形例４）
図６は、変形例４に係る発光装置１０の構成を示す断面図であり、実施形態における図２に対応している。本変形例に係る発光装置１０は、絶縁層１５０の代わりに透光層１５２を有している点を除いて、実施形態に係る発光装置１０と同様の構成である。
【００４２】
透光層１５２は透光性の絶縁膜であり、基板１００のうち光機能層１６０が形成されていない領域、及び光機能層１６０を連続して覆っている。このため、透光層１５２は平坦化層として機能する。透光層１５２は、例えばイミド系、アクリル系、エーテル系、シラン系、又はシロキサン系の有機材料や、ガラスペースト、ガラスフリット、又はＳｉＯ２ゾルなどの無機材料などの透明材料を用いて形成されており、その厚さは、例えば１００ｎｍ以上１００μｍ以下である。透光層１５２は、例えばインクジェット法や塗布法を用いて形成されている。
【００４３】
そして、第１電極１１０及び有機層１２０は、透光層１５２の上に連続的に形成されている。一方、第２電極１３０は実施形態と同様のレイアウトを有している。本変形例において、発光装置１０は第１領域１０２及び第３領域１０６を有しているが、第２領域１０４を有していない。そして、第１領域１０２が発光部１４０と一致している。
【００４４】
本変形例によっても、実施形態と同様に、光機能層１６０を設けることにより、有機層１２０の光が第１面１００ａから外部に放射されやすくなる。また、第２電極１３０の縁は光機能層１６０の外側に位置するため、光機能層１６０を設けても、発光部１４０からの光は第１面１００ａとは逆側に出射しにくい。
【００４５】
なお、変形例１〜３において、絶縁層１５０の代わりに本変形例に示した透光層１５２を有していてもよい。
【００４６】
（変形例５）
図７は、変形例５に係る発光装置１０の構成を示す断面図であり、変形例４における図６に対応している。本変形例に係る発光装置１０は、以下の点を除いて変形例４に係る発光装置１０と同様の構成である。
【００４７】
まず、発光装置１０は透光層１５２を有してない。このため、基板１００の上に直接第１電極１１０が形成されている。また、光機能層１６０は基板１００のうち発光部１４０とは逆側の面に形成されている。ただし、基板１００に垂直な方向から見た場合、第２電極１３０に対する光機能層１６０の位置及び大きさは、変形例４と同様である。
【００４８】
本変形例によっても、実施形態と同様に、光機能層１６０を設けることにより、有機層１２０の光が第１面１００ａから外部に放射されやすくなる。また、第２電極１３０の縁は光機能層１６０の外側に位置するため、光機能層１６０を設けても、発光部１４０からの光は第１面１００ａとは逆側に出射しにくい。
【００４９】
（変形例６）
図８は、変形例６に係る発光装置１０の構成を示す断面図であり、実施形態における図２に対応している。本変形例に係る発光装置１０は、第１電極１１０の縁が光機能層１６０の上に位置している点を除いて、実施形態に係る発光装置１０と同様の構成である。本変形例において、第１電極１１０は、第１領域１０２に位置しているが、第２領域１０４及び第３領域１０６に位置していない。なお、本変形例において、発光装置１０は変形例３に示した導電層１８０を有していてもよい。
【００５０】
本変形例によっても、実施形態と同様に、光機能層１６０を設けることにより、有機層１２０の光が第１面１００ａから外部に放射されやすくなる。また、第２電極１３０の縁は光機能層１６０の外側に位置するため、光機能層１６０を設けても、発光部１４０からの光は第１面１００ａとは逆側に出射しにくい。
【００５１】
（変形例７）
図９は、変形例７に係る発光装置１０の構成を示す断面図であり、実施形態における図２に対応している。本変形例に係る発光装置１０は、第２電極１３０の縁が絶縁層１５０の外側に位置している点を除いて、実施形態に係る発光装置１０と同様の構成である。言い換えると、本変形例において、第２電極１３０の幅は実施形態よりも広く、その結果、光機能層１６０の縁と第２電極１３０の縁の距離ｗは実施形態よりも大きい。なお、本変形例において、発光装置１０は変形例３に示した導電層１８０を有していてもよい。
【００５２】
本変形例によれば、実施形態と同様に、光機能層１６０を設けることにより、有機層１２０の光が第１面１００ａから外部に放射されやすくなる。また、第２電極１３０の幅は実施形態よりも広いため、発光部１４０からの光は、さらに第１面１００ａとは逆側に出射しにくい。
【００５３】
（実施例１）
図１０は、実施例１に係る発光システムの構成を示す断面図である。この発光システムは、発光装置１０及び仕切部材２０を有している。仕切部材２０は透光性を有しており、人が滞在する空間を外部から仕切っている。発光装置１０は、上記した実施形態及び変形例のいずれかと同様の構成を有している。発光部１４０は基板１００のうち人が滞在する空間側の面（第２面１００ｂ）に配置されている。この状態において、透光性の第１電極１１０、有機層１２０、及び第２電極１３０は、外部側からこの順に重なっている。
【００５４】
仕切部材２０は、例えば人が移動するための移動体３０の窓であり、ガラス又は透光性の樹脂を用いて形成されている。移動体３０は、例えば自動車、列車、又は飛行機である。移動体３０が自動車の場合、仕切部材２０はフロントガラス、リアガラス、又は座席の横に取り付けられた窓ガラス（例えばドアガラス）である。仕切部材２０がリアガラスの場合、複数の発光部１４０は例えばブレーキランプとして機能する。また、仕切部材２０がフロントガラス又はリアガラスの場合、複数の発光部１４０はターンランプであってもよい。または、会議室などの部屋の内部と外部を仕切る窓であってもよい。発光部１４０の点灯／非点灯により、会議室を利用しているか否かを識別できる発光システムでも良い。
【００５５】
そして、発光装置１０の光取出側の面（例えば基板１００の第１面１００ａ）は、接着層２００を介して仕切部材２０の内面（第１面２２）に固定されている。このため、発光装置１０の発光部１４０から放射された光は、仕切部材２０を介して移動体３０の外部に放射される。一方、発光装置１０は光透過性を有している。このため、移動体３０の内側に位置する人は、仕切部材２０を介して移動体３０の外部を視認することができる。なお、基板１００の第１面１００ａの全面が接着層２００を介して仕切部材２０の第１面２２に固定されていてもよいし、第１面１００ａの一部（例えば互いに対向する２辺）が仕切部材２０の第１面２２に固定されていてもよい。
【００５６】
接着層２００は仕切部材２０と発光装置１０とを接着させるものである。このような機能を果たす材料であればとくに限定はされない。また、仕切部材２０の屈折率と発光装置１０の基板１００の屈折率とが、例えば両者ともにガラスで形成された場合などのように同じ場合は、両者と同じか近い屈折率を有する接着層２００を用いる。他方で仕切部材２０と基板１００とで屈折率とが異なる（例えば、仕切部材２０がプラスチックで形成され、基板１００がガラスで形成される）場合は、接着層２００の屈折率は仕切部材２０と基板１００の間の数値が好ましい。このようにすると、発光装置１０の発光を、仕切部材２０を介して外部へ効率よく光取り出しができるためである。また、発光装置１０と仕切部材２０とは隙間なく接着されるのが好ましい。隙間があると発光装置１０からの発光が仕切部材２０で反射され、その反射光が発光装置１０の第２領域１０４、第３領域１０６を介して内部に伝わるからである。
【００５７】
発光装置１０は、実施形態及び各変形例のいずれかに示した構成を有している。従って、発光装置１０の光取出効率は高い。また、発光装置１０の光が移動体３０の内部に向けて放射されることを抑制できる。このため、移動体３０の内部から外部への視認性は、発光部１４０からの光に起因して低下しない。
【００５８】
また、絶縁層１５０は透光性の材料によって形成されているが、一般的に、透光性の材料の光線透過率は光の波長によって異なる。このため、絶縁層１５０の幅が広いと、絶縁層１５０を光が透過する際に、その光のスペクトル分布が変わってしまう。この場合、発光装置１０を介して物を見ると、その物の色が実際とは異なる色に見えてしまう。すなわち発光装置１０を介することによって物の色が変化してしまう。例えば、青色の波長４００ｎｍ〜６００ｎｍの吸収が５０％となり、他の波長の吸収より大きい場合、発光装置１０を介して物を見たときに青色が弱くなり、黄みがかって見えてしまう。これに対して本実施例では第２領域１０４の幅は第３領域１０６の幅よりも狭いため、上記した色の変化を抑制できる。
【００５９】
なお、図１０に示す例において、仕切部材２０は水平面に対して角度θ１（０°＜θ１＜９０°）で傾いている。このため、発光装置１０の基板１００も水平面に対して角度θ１（０°＜θ１＜９０°）で傾いている。
【００６０】
図１１は、図１０の一部を拡大した図である。上記したように、発光装置１０の基板１００は、水平面に対して角度θ１（０°＜θ１＜９０°）で傾いている。ここで、第２電極１３０の幅をａ、光機能層１６０の幅をｂ、基板１００の第２面１００ｂ（光機能層１６０が形成されている面）を基準としたときの第２電極１３０の高さをｔとしたとき、下記（１）式が満たされている。
ａ≧ｂ＋２ｔ×ｔａｎθ１・・・（１）
【００６１】
このようにすると、発光部１４０からの光の一部が光機能層１６０で反射されても、この反射光は、光機能層１６０から、水平方向より図中下の方向には放射されにくい。従って、移動体３０の内部から外部への視認性は、さらに低下しにくい。
【００６２】
また、図１２に示すように、光機能層１６０の中心と第２電極１３０の中心が重なっていなくてもよい。例えば、基板１００の第２面１００ｂ（光機能層１６０が形成されている面）を基準としたときの第２電極１３０の高さをｔ、発光装置１０の倒れ角（基板１００の垂線と水平面が成す角度）をθ２とすると、光機能層１６０の幅ｂに対して、片側にt・tanθ２だけ第２電極１３０の幅を広くしてしても良い。なお、図１２において、第１電極１１０と基板１００の第２面１００ｂの間には平坦化層１６２が形成されている。平坦化層１６２は、例えば樹脂などの絶縁材料を用いて形成されており、光機能層１６０の有無に起因した凹凸を平坦化している。
【００６３】
（実施例２）
図１３は、実施例２に係る発光システムの構成を示す断面図である。本実施例に係る発光システムは、発光装置１０が仕切部材２０のうち移動体３０の外側の面（第２面２４）に取り付けられている点を除いて、実施例に係る発光システムと同様の構成である。
【００６４】
本実施例に係る発光装置１０は、上記した実施形態及び各変形例のいずれかと同じ構成を有している。ただし、発光装置１０は、仕切部材２０とは逆側の面が光取出面となっている。このようにするためには、発光装置１０の第２面１００ｂ側を仕切部材２０に対向させればよい。
【００６５】
本実施例によっても、実施例１と同様に、移動体３０の内部にいる人は、発光装置１０及び仕切部材２０を介して移動体３０の外部を視認することができる。また、発光装置１０の光取出効率は高い。また、発光装置１０の光が移動体３０の内部に向けて放射されることを抑制できる。このため、移動体３０の内部から外部への視認性は、発光部１４０からの光に起因して低下しない。
【００６６】
また、発光装置１０からの光は仕切部材２０を介さずに直接移動体３０の外部に放射される。このため、実施形態と比較して、移動体３０の外部にいる人は発光装置１０からの光を認識しやすい。また、移動体３０の外部すなわち仕切部材の２０の第２面２４側に発光装置１０を取り付けているので、発光装置１０の発光が仕切部材２０で反射して移動体３０の内部へ入ることを抑制できる。
【００６７】
（実施例３）
図１４は、実施例３に係る発光システムの構成を示す断面図である。本実施例に係る発光システムは、固定部材２１０を用いて発光装置１０を仕切部材２０に固定している点を除いて、実施例１に係る発光システムと同様の構成である。
【００６８】
固定部材２１０は枠状の部材であり、下面が接着層２００を用いて仕切部材２０に固定されている。固定部材２１０の上部は固定部材２１０の内側に向けて折れ曲がっており、この折れ曲がっている部分で発光装置１０の縁を押さえている。ただし、固定部材２１０の形状は本図に示す例に限定されない。
【００６９】
本実施例によっても、実施例１と同様に、移動体３０の内部にいる人は、発光装置１０及び仕切部材２０を介して移動体３０の外部を視認することができる。また、発光装置１０の光取出効率は高い。また、発光装置１０の光が移動体３０の内部に向けて放射されることを抑制できる。このため、移動体３０の内部から外部への視認性は、発光部１４０からの光に起因して低下しない。
【００７０】
また、図１５に示すように、移動体３０の外側に向けて凸になる方向に仕切部材２０が湾曲している場合がある。このような場合において、平板上の発光装置１０を仕切部材２０の内面（第１面２２）に直接固定することは難しい。しかし、固定部材２１０を用いると、このような場合でも発光装置１０を仕切部材２０の第１面２２に固定することができる。
【００７１】
このような方法で湾曲する仕切部材２０と平板上の発光装置１０とを固定した場合、仕切部材２０と発光装置１０との間の隙間に充填剤を充填してもよい。前述の通り、隙間があると発光装置１０からの発光が仕切部材２０で反射され、その反射光が発光装置１０の第２領域１０４、第３領域１０６を介して内部に伝わるからである。仕切部材２０の屈折率と発光装置１０の基板１００の屈折率とが互いにほぼ同じ場合（例えば両者ともにガラスで形成されている場合）は、充填部材の屈折率は、これらの屈折率と同じか近い値であることが好ましい。また、仕切部材２０と基板１００とで屈折率とが異なる（例えば、仕切部材２０がプラスチックで形成され、基板１００がガラスで形成される）場合は、充填剤の屈折率は仕切部材２０の屈折率と発光装置１０の基板１００の屈折率の間の数値が好ましい。
【００７２】
（実施例４）
図１６は、実施例４に係る発光システムの構成を示す断面図である。本実施例に係る発光システムは、発光部１４０が仕切部材２０の第１面２２又は第２面２４に形成されている点を除いて、実施例１に係る発光システムと同様の構成である。言い換えると、本実施例において、仕切部材２０は実施例１における基板１００を兼ねている。
【００７３】
なお、本実施例において、仕切部材２０のうち発光部１４０が形成される面に凹部を形成し、この凹部内に発光部１４０を形成してもよい。例えば、複数の発光部１４０が形成される領域に一つの凹部を形成し、この凹部の底面に複数の発光部１４０を形成してもよいし、複数の発光部１４０のそれぞれに個別に凹部を形成してもよい。この場合、発光部１４０の封止は透過性の高い構成、例えば膜封止などによって、複数の凹部を一度に封止する構成であってもよい。凹部が発光部１４０に対して個別、または複数のいずれの場合においても、仕切部材２０から発光部１４０が突出することを抑制できる。なお、仕切部材２０の凹部に発光部１４０を形成する場合において、発光部１４０の上部は仕切部材２０の第１面２２（又は第２面２４）から突出していてもよいし、発光部１４０の全体が第１面２２（又は第２面２４）の下方に位置していてもよい。
【００７４】
本実施例によっても、実施例１と同様に、移動体３０の内部にいる人は、発光装置１０及び仕切部材２０を介して移動体３０の外部を視認することができる。また、発光装置１０の光取出効率は高い。また、発光装置１０の光が移動体３０の内部に向けて放射されることを抑制できる。このため、移動体３０の内部から外部への視認性は、発光部１４０からの光に起因して低下しない。また、発光システムは基板１００を有していないため、発光システムの製造コストは低くなる。
【００７５】
（実施例５）
図１７は、実施例５に係る発光システムの構成を示す断面図である。本実施例に係る発光システムは、仕切部材２０に複数の発光装置１０が取り付けられている点を除いて、上記した実施形態及び各変形例並びに実施例１〜４のいずれかと同様の構成である。複数の発光装置１０は、互いに同一の制御信号に従って発光及び消灯が制御されていてもよいし、互いに異なる制御信号に従って発光及び消灯が制御されていてもよい。
【００７６】
本実施例によっても、移動体３０の内部にいる人は、発光装置１０及び仕切部材２０を介して移動体３０の外部を視認することができる。また、発光装置１０の光取出効率は高い。また、発光装置１０の光が移動体３０の内部に向けて放射されることを抑制できる。このため、移動体３０の内部から外部への視認性は、発光部１４０からの光に起因して低下しない。
【００７７】
以上、図面を参照して実施形態及び実施例について述べたが、これらは本発明の例示であり、上記以外の様々な構成を採用することもできる。
【図１】
2017149733.tif 000003
【図２】
2017149733.tif 000004
【図３】
2017149733.tif 000005
【図４】
2017149733.tif 000006
【図５】
2017149733.tif 000007
【図６】
2017149733.tif 000008
【図７】
2017149733.tif 000009
【図８】
2017149733.tif 000010
【図９】
2017149733.tif 000011
【図１０】
2017149733.tif 000012
【図１１】
2017149733.tif 000013
【図１２】
2017149733.tif 000014
【図１３】
2017149733.tif 000015
【図１４】
2017149733.tif 000016
【図１５】
2017149733.tif 000017
【図１６】
2017149733.tif 000018
【図１７】
2017149733.tif 000019
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
基板と、
前記基板の一部の上に位置している光機能層と、
前記光機能層の上に位置している光透過性の第１電極と、
前記第１電極の上に位置している光反射性の第２電極と、
前記第１電極と前記第２電極の間に位置している有機層と、
を備え、
前記第２電極は前記基板の上に複数形成され、
前記複数の第２電極の間の領域の少なくとも一部は光透過性を有しており、
前記第２電極の縁の少なくとも一部は前記光機能層の外側に位置している発光装置。
【請求項２】
請求項１に記載の発光装置において、
前記第２電極の縁の前記少なくとも一部において、前記第２電極の縁と前記光機能層の縁の距離は１μｍ以上である発光装置。
【請求項３】
請求項１又は２に記載の発光装置において、
前記光機能層は、前記複数の第２電極それぞれと重なる位置にあり、
前記複数の光機能層及び前記複数の第２電極はストライプ状に延在している発光装置。
【請求項４】
請求項３に記載の発光装置において、
前記基板は水平方向に対して傾きθ１（ただし０°＜θ１＜９０°）を有し、
前記第２電極の幅をａ、前記光機能層の幅をｂ、前記基板のうち前記光機能層が形成されている面を基準としたときの前記第２電極の高さをｔとしたとき、
ａ≧ｂ＋２ｔ×ｔａｎθ１
を満たす発光装置。
【請求項５】
請求項１〜４のいずれか一項に記載の発光装置において、
前記第１電極の縁を覆う絶縁層を備え、
前記基板は、
前記第２電極に重なる第１領域と、
前記第２電極と重ならずに前記絶縁層と重なる第２領域と、
前記第２電極及び前記絶縁層と重ならない領域である第３領域と、
を備え、
前記第２領域の幅は前記第３領域の幅よりも狭い発光装置。
【請求項６】
基板と、
前記基板上に位置する透光性の第１電極と、
前記第１電極の上に位置している光反射性の第２電極と、
前記第１電極及び前記第２電極の間に位置する有機層と、
前記基板のうち、前記第１電極が位置する側とは逆側の面に位置している光機能層と、
を備え、
前記基板のうち前記光機能層が位置する面を垂直方向からみたとき、前記第２電極の縁の少なくとも一部は前記光機能層の外側に位置している発光装置。
【国際調査報告】
2017149733.tif 000020
2017149733.tif 000021
2017149733.tif 000022
2017149733.tif 000023